(57)【要約】  空気調和装置１は、圧縮機４、複数の室内熱交換器６、複数の膨張部７及び室外熱交換器８が配管により接続され、冷媒が流通する冷媒回路２と、少なくとも一つの室内熱交換器６をバイパスするバイパス回路３と、バイパス回路３に設けられ、熱を蓄える蓄熱容器１１と、冷媒回路２とバイパス回路３との接続部に設けられ、冷媒が冷媒回路２に流通するかバイパス回路３に流通するかを切り替える回路切替部１２と、を備える。
2016189626.tif 000002
【特許請求の範囲】
【請求項１】
圧縮機、複数の室内熱交換器、複数の膨張部及び室外熱交換器が配管により接続され、冷媒が流通する冷媒回路と、
少なくとも一つの前記室内熱交換器をバイパスするバイパス回路と、
前記バイパス回路に設けられ、熱を蓄える蓄熱容器と、
前記冷媒回路と前記バイパス回路との接続部に設けられ、前記冷媒が前記冷媒回路に流通するか前記バイパス回路に流通するかを切り替える回路切替部と、
を備える空気調和装置。
【請求項２】
前記冷媒が前記バイパス回路に流通するように前記回路切替部を切り替える切替手段を有する制御部を備え、
前記切替手段によって前記冷媒が前記バイパス回路に流通するように前記回路切替部が切り替えられた場合、前記蓄熱容器に熱が蓄えられる蓄熱運転が行われるものである
請求項１記載の空気調和装置。
【請求項３】
前記圧縮機から吐出された前記冷媒が前記室内熱交換器に流通するか前記室外熱交換器に流通するかを切り替える流路切替部と、
前記蓄熱容器の温度を検出する温度検出部と、を備え、
前記切替手段は、
前記温度検出部によって検出された前記蓄熱容器の温度が閾値温度よりも高い場合、前記冷媒が前記バイパス回路に流通するように前記回路切替部を切り替えるものであり、
前記冷媒が前記室外熱交換器に流通するように前記流路切替部が切り替えられ、前記切替手段によって前記冷媒が前記バイパス回路に流通するように前記回路切替部が切り替えられた場合、前記室外熱交換器に付着した霜を除去するデフロスト運転が行われるものである
請求項２記載の空気調和装置。
【請求項４】
前記蓄熱容器は、潜熱型蓄熱材が使用されるものであり、
前記閾値温度として、前記潜熱型蓄熱材の融点以上の温度が使用される
請求項３記載の空気調和装置。
【請求項５】
前記室内熱交換器で前記冷媒と熱交換される熱媒体の温度を検出する熱媒体温検出部を更に備え、
前記蓄熱容器は、顕熱型蓄熱材が使用されるものであり、
前記閾値温度として、前記熱媒体温検出部によって検出された前記熱媒体の温度以上の温度が使用される
請求項３記載の空気調和装置。
【請求項６】
前記膨張部は、開度が調整されるものであり、
前記制御部は、
前記蓄熱運転において、前記蓄熱運転における前記膨張部の開度を、暖房運転における前記膨張部の最小開度よりも小さい閾値開度以下に調整する開度調整手段
を有する請求項２〜５のいずれか１項に記載の空気調和装置。
【請求項７】
前記室内熱交換器で前記冷媒と熱交換される熱媒体を、前記室内熱交換器に送る送風機を更に備え、
前記制御部は、
前記蓄熱運転において、前記蓄熱運転における前記送風機の回転数を、暖房運転における前記送風機の最小回転数よりも小さい閾値回転数以下に変更する回転数変更手段
を有する請求項２〜６のいずれか１項に記載の空気調和装置。
【発明の詳細な説明】
【技術分野】
【０００１】
本発明は、冷媒が流通する冷媒回路を備える空気調和装置に関する。
【背景技術】
【０００２】
従来、空気調和装置として、複数の室内機を有する空気調和装置が知られている。このような空気調和装置において、暖房運転が行われていない室内機の室内熱交換器の膨張部は、全閉にされる。暖房運転が行われていない状態としては、例えば、停止、送風運転、又は、暖房運転中のサーモオフ等が挙げられる。近年、室内機の接続基数の増加による室内熱交換器の接続基数の増加に伴って、空気調和装置の運転パターンが多様化している。このため、多基接続された室内熱交換器のうち、１台の小容量の室内熱交換器のみ暖房運転が行われ、そのほかの室内熱交換器において非暖房運転が行われている場合、膨張部が全閉にされた室内熱交換器に冷媒が滞留する虞がある。これにより、空気調和装置の冷媒回路において、冷媒が不足した状態で運転される。【０００３】
特許文献１には、暖房運転が行われていない室内熱交換器の膨張部を少しだけ開けた空気調和装置が開示されている。特許文献１は、膨張部を全閉ではなく、微小開度とすることによって、室内熱交換器に冷媒が滞留することを抑制しようとするものである。
【先行技術文献】
【特許文献】
【０００４】
【特許文献１】特許第３８５６５２０号公報
【発明の概要】
【発明が解決しようとする課題】
【０００５】
しかしながら、特許文献１に開示された空気調和装置は、膨張部を微小開度としているため、冷媒が室内熱交換器に少量ながらも流通している。このため、非暖房運転中であるものの、若干の暖房がなされる。従って、余剰な暖房がなされてしまう。【０００６】
本発明は、上記のような課題を背景としてなされたもので、余剰な暖房がなされることを抑制する空気調和装置を提供するものである。
【課題を解決するための手段】
【０００７】
本発明に係る空気調和装置は、圧縮機、複数の室内熱交換器、複数の膨張部及び室外熱交換器が配管により接続され、冷媒が流通する冷媒回路と、少なくとも一つの室内熱交換器をバイパスするバイパス回路と、バイパス回路に設けられ、熱を蓄える蓄熱容器と、冷媒回路とバイパス回路との接続部に設けられ、冷媒が冷媒回路に流通するかバイパス回路に流通するかを切り替える回路切替部と、を備える。
【発明の効果】
【０００８】
本発明によれば、室内熱交換器をバイパスするバイパス回路に蓄熱容器が設けられている。このため、非暖房運転時において、高温高圧の冷媒を蓄熱容器に流通させることができる。従って、蓄熱容器に熱を蓄えることができる。これにより、空気調和装置において、余剰な暖房がなされることを抑制することができる。また、蓄熱容器に蓄えられた熱を別の用途に利用することができる。
【図面の簡単な説明】
【０００９】
【図１】本発明の実施の形態１に係る空気調和装置１を示す回路図である。
【図２】本発明の実施の形態１に係る空気調和装置１を示す機能ブロック図である。
【図３】本発明の実施の形態１に係る空気調和装置１の動作を示すフローチャートである。
【図４】本発明の実施の形態１に係る空気調和装置１の動作を示すフローチャートである。
【発明を実施するための形態】
【００１０】
以下、本発明に係る空気調和装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１１】
実施の形態１．
図１は、本発明の実施の形態１に係る空気調和装置１を示す回路図である。この図１に基づいて、空気調和装置１について説明する。図１に示すように、空気調和装置１は、冷媒回路２と、バイパス回路３と、蓄熱容器１１と、回路切替部１２とを備えている。更に、空気調和装置１は、例えば、送風機１０と、温度検出部１３と、熱媒体温検出部１４と、制御部２０とを備えている。
【００１２】
冷媒回路２は、圧縮機４、複数の室内熱交換器６、複数の膨張部７及び室外熱交換器８が配管により接続され、冷媒が流通するものである。更に、冷媒回路２は、例えば流路切替部５と、アキュムレータ９とが配管により接続されている。
【００１３】
そして、空気調和装置１は、例えば１台の室外機１ａに２台の室内機１ｂが接続されている。室外機１ａには、圧縮機４、流路切替部５、室外熱交換器８及びアキュムレータ９が設置されている。２台の室内機１ｂには、室内熱交換器６、膨張部７、送風機１０、回路切替部１２、バイパス回路３、蓄熱容器１１及び温度検出部１３が、夫々設置されている。なお、本実施の形態１では、２台の室内機１ｂを備える空気調和装置１を例示しているが、室内機１ｂを３台以上備えていてもよい。
【００１４】
圧縮機４は、電動機によって駆動されており、冷媒を圧縮するものである。流路切替部５は、冷媒回路２における冷媒の流通方向を切り替え、圧縮機４から吐出された冷媒が室内熱交換器６に流通するか室外熱交換器８に流通するかを切り替えるものであり、これにより、冷房運転及び暖房運転のいずれもが実施される。室内熱交換器６は、例えば室内に設けられ、熱媒体である室内空気と冷媒とを熱交換するものである。
【００１５】
送風機１０は、例えば室内に設けられ、室内熱交換器６で冷媒と熱交換される熱媒体である室内空気を、室内熱交換器６に送るものである。膨張部７は、冷媒を膨張及び減圧するものであり、例えば開度が調整されるものである。室外熱交換器８は、例えば室外に設けられ、室外空気と冷媒とを熱交換するものである。アキュムレータ９は、余剰となった冷媒を貯留するものである。
【００１６】
バイパス回路３は、少なくともの一つの室内熱交換器６をバイパスするものである。回路切替部１２は、冷媒回路２とバイパス回路３との接続部に設けられ、冷媒が冷媒回路２に流通するかバイパス回路３に流通するかを切り替えるものである。回路切替部１２は、室内機１ｂ毎に、例えば２個設けられており、冷媒回路２とバイパス回路３とを接続する接続部のいずれにも設けられている。なお、図１では、回路切替部１２が三方弁である場合について例示しているが、複数の電磁弁を組み合わせたものでもよい。
【００１７】
蓄熱容器１１は、バイパス回路３に設けられ、熱を蓄えるものである。蓄熱容器１１は、例えば潜熱型蓄熱材が使用されるものであるが、顕熱型蓄熱材が使用されるものであってもよい。なお、蓄熱容器１１は、室内機１ｂの外側に設置されてもよい。温度検出部１３は、蓄熱容器１１の温度を検出するものである。熱媒体温検出部１４は、熱媒体である室内空気の温度、即ち室内の温度を検出するものである。なお、バイパス回路３、回路切替部１２及び蓄熱容器１１は、全ての室内機１ｂに設けられなくともよい。バイパス回路３、回路切替部１２及び蓄熱容器１１は、室内熱交換器６における熱交換が不要となることが想定される室内機１ｂに設けられればよい。
【００１８】
次に、空気調和装置１の運転モードについて説明する。空気調和装置１は、運転モードとして、冷房運転、暖房運転、蓄熱運転及びデフロスト運転を有している。冷房運転は、圧縮機４、流路切替部５、室外熱交換器８、膨張部７、室内熱交換器６、アキュムレータ９の順に冷媒が流通し、室内熱交換器６において熱媒体である室内空気が冷媒と熱交換されて冷却されるものである。暖房運転は、圧縮機４、流路切替部５、室内熱交換器６、膨張部７、室外熱交換器８、アキュムレータ９の順に冷媒が流通し、室内熱交換器６において熱媒体である室内空気が冷媒と熱交換されて加熱されるものである。
【００１９】
蓄熱運転は、圧縮機４、流路切替部５、蓄熱容器１１、膨張部７、室外熱交換器８、アキュムレータ９の順に冷媒が流通し、暖房運転が停止されて蓄熱容器１１に熱が蓄えられるものである。なお、蓄熱運転は、例えば暖房運転が行われていない非暖房運転の状態である。例えば、１台の室内機１ｂでは暖房が継続され、もう１台の室内機１ｂで暖房が停止される場合に、もう１台の室内機１ｂにおいて蓄熱運転が行われる。デフロスト運転は、圧縮機４、流路切替部５、室外熱交換器８、膨張部７、室内熱交換器６、アキュムレータ９の順に冷媒が流通し、室外熱交換器８に付着した霜を除去するものである。
【００２０】
図２は、本発明の実施の形態１に係る空気調和装置１を示す機能ブロック図である。次に、制御部２０について説明する。制御部２０は、回路切替部１２の切り替え動作を制御するものである。図２に示すように、制御部２０は、測定手段２１と、演算手段２２と、記憶手段２３とを有している。
【００２１】
測定手段２１は、熱媒体温検出部１４及び温度検出部１３から入力された信号に基づいて各温度を測定するものである。また、演算手段２２は、各温度の測定結果に基づいて、演算処理を行うものである。演算手段２２は、切替手段３１と、回転数変更手段３２と、開度調整手段３３とを有している。そして、演算手段２２による演算結果は、ＬＥＤ等の出力部１６に出力される。
【００２２】
切替手段３１は、蓄熱運転において、冷媒がバイパス回路３に流通するように回路切替部１２を切り替えるものである。即ち、切替手段３１によって冷媒がバイパス回路３に流通するように回路切替部１２が切り替えられた場合、蓄熱容器１１に熱が蓄えられる蓄熱運転が行われる。また、切替手段３１は、デフロスト運転において、温度検出部１３によって検出された蓄熱容器１１の温度が閾値温度よりも高い場合、冷媒がバイパス回路３に流通するように回路切替部１２を切り替えるものである。即ち、冷媒が室外熱交換器８に流通するように流路切替部５が切り替えられ、切替手段３１によって冷媒がバイパス回路３に流通するように回路切替部１２が切り替えられた場合、室外熱交換器８に付着した霜を除去するデフロスト運転が行われる。
【００２３】
ここで、閾値温度について説明する。潜熱型蓄熱材が使用された蓄熱容器１１においては、閾値温度として、潜熱型蓄熱材の融点以上の温度が使用される。この融点は、記憶手段２３に予め記憶されている。即ち、閾値温度＝潜熱型蓄熱材の融点＋αである。ここで、αは、蓄熱容器１１に蓄熱される熱量によって適宜変更可能であり、例えば、入力部１５によって入力される。入力部１５は、例えばディップスイッチ又はリモートコントローラといった入力装置である。
【００２４】
また、顕熱型蓄熱材が使用された蓄熱容器１１においては、閾値温度として、熱媒体温検出部１４によって検出された熱媒体の温度以上の温度が使用される。即ち、閾値温度＝熱媒体の温度＋βである。ここで、βは、蓄熱容器１１に蓄熱される熱量によって適宜変更可能であり、例えば、入力部１５によって入力される。
【００２５】
回転数変更手段３２は、蓄熱運転において、蓄熱運転における送風機１０の回転数を、暖房運転における送風機１０の最小回転数よりも小さい閾値回転数以下に変更するものである。開度調整手段３３は、蓄熱運転において、蓄熱運転における膨張部７の開度を、暖房運転における膨張部７の最小開度よりも小さい閾値開度以下に変更するものである。
【００２６】
ここで、閾値開度について説明する。室内機１ｂが、蓄熱運転のような非暖房運転の場合、膨張部７の開度は適宜決定される。膨張部７に流入する冷媒が気液二相冷媒であったり、膨張部７の上流側と下流側との差圧が大きかったりした場合、膨張部７の開度が過度に開かれると、余剰冷媒がなくとも、気泡が混入した冷媒が膨張部７に高速で流れる。このため、室内機１ｂから冷媒の流動音が鳴る虞がある。そこで、閾値開度は、冷媒の流動音が発生しない最小の開度に設定される。これにより、蓄熱容器１１に蓄熱される熱の量は若干減るものの、冷媒の流動音の発生を抑制することができる。
【００２７】
次に、空気調和装置１の運転モードの各動作について説明する。先ず、冷房運転について説明する。冷房運転において、圧縮機４は、冷媒を吸入し、冷媒を圧縮して高温高圧のガスの状態で吐出する。圧縮機４から吐出された冷媒は、流路切替部５を通過して、室外熱交換器８に流入し、室外熱交換器８において、室外空気との熱交換により凝縮される。凝縮された液冷媒は、膨張部７に流入し、膨張部７において減圧されて気液二相状態にされる。そして、気液二相冷媒は、室内熱交換器６に流入し、室内熱交換器６において、熱媒体である室内空気との熱交換により蒸発する。このとき、室内空気が冷やされ、冷房が実施される。蒸発したガス冷媒は、流路切替部５を通過して、アキュムレータ９に流入し、その後、圧縮機４に吸入される。
【００２８】
次に、暖房運転について説明する。暖房運転において、圧縮機４は、冷媒を吸入し、冷媒を圧縮して高温高圧のガスの状態で吐出する。圧縮機４から吐出された冷媒は、流路切替部５を通過して、室内熱交換器６に流入し、室内熱交換器６において、熱媒体である室内空気との熱交換により凝縮される。このとき、室内空気が暖められ、暖房が実施される。凝縮された液冷媒は、膨張部７に流入し、膨張部７において減圧されて気液二相状態にされる。そして、気液二相冷媒は、室外熱交換器８に流入し、室外熱交換器８において、室外空気との熱交換により蒸発する。蒸発したガス冷媒は、流路切替部５を通過して、アキュムレータ９に流入し、その後、圧縮機４に吸入される。
【００２９】
次に、蓄熱運転について説明する。蓄熱運転は、例えば暖房運転が行われていない非暖房運転の状態であり、蓄熱運転としては、例えば、停止、送風運転、又は、暖房運転中のサーモオフ等が挙げられる。例えば、１台の室内機１ｂでは暖房が継続され、もう１台の室内機１ｂで暖房が停止される場合に、もう１台の室内機１ｂにおいて蓄熱運転が行われる。蓄熱運転において、圧縮機４は、冷媒を吸入し、冷媒を圧縮して高温高圧のガスの状態で吐出する。圧縮機４から吐出された冷媒は、流路切替部５を通過して、バイパス回路３に流入し、蓄熱容器１１に流入する。これにより、蓄熱容器１１に熱が蓄えられる。その後、冷媒は、膨張部７に流入し、膨張部７において減圧されて気液二相状態にされる。そして、気液二相冷媒は、室外熱交換器８に流入し、室外熱交換器８において、室外空気との熱交換により蒸発する。蒸発したガス冷媒は、流路切替部５を通過して、アキュムレータ９に流入し、その後、圧縮機４に吸入される。
【００３０】
次に、デフロスト運転について説明する。空気調和装置１において、暖房運転が行われると、室外熱交換器８に霜が付着する場合がある。この霜を除去するため、デフロスト運転が行われる。デフロスト運転において、圧縮機４は、冷媒を吸入し、冷媒を圧縮して高温高圧のガスの状態で吐出する。圧縮機４から吐出された冷媒は、流路切替部５を通過して、室外熱交換器８に流入し、室外熱交換器８に付着した霜を溶かす。そして、室外熱交換器８において、冷媒は室外空気との熱交換により凝縮される。凝縮された液冷媒は、膨張部７に流入する。このとき、膨張部７は全開にされており、液冷媒のまま、室内熱交換器６に流入する。そして、液冷媒は、室内熱交換器６に流入し、室内熱交換器６において、熱媒体である室内空気との熱交換により蒸発する。蒸発したガス冷媒は、流路切替部５を通過して、アキュムレータ９に流入し、その後、圧縮機４に吸入される。
【００３１】
図３は、本発明の実施の形態１に係る空気調和装置１の動作を示すフローチャートである。次に、本実施の形態１に係る空気調和装置１の動作について説明する。先ず、蓄熱運転及び暖房運転における空気調和装置１の動作について説明する。図３に示すように、暖房運転中に、熱媒体温検出部１４によって検出された熱媒体の温度が、室内機１ｂがサーモオフする温度条件を満足するか否かが判断される（ステップＳＴ１）。熱媒体の温度が温度条件を満足しない場合（ステップＳＴ１のＮｏ）、再びステップＳＴ１に戻る。一方、熱媒体の温度が温度条件を満足する場合（ステップＳＴ１のＹｅｓ）、蓄熱運転に切り替えられる。
【００３２】
そして、回転数変更手段３２によって、送風機１０の回転数が閾値回転数以下の微風に変更される（ステップＳＴ２）。その後、切替手段３１によって、冷媒がバイパス回路３に流通するように回路切替部１２が切り替えられる（ステップＳＴ３）。そして、開度調整手段３３によって、膨張部７の開度が閾値開度以下である微開に調整される（ステップＳＴ４）。
【００３３】
その後、熱媒体温検出部１４によって検出された熱媒体の温度が、室内機１ｂがサーモオンする温度条件を満足するか否かが判断される（ステップＳＴ５）。熱媒体の温度が温度条件を満足しない場合（ステップＳＴ５のＮｏ）、ステップＳＴ４に戻る。一方、熱媒体の温度が温度条件を満足する場合（ステップＳＴ５のＹｅｓ）、暖房運転に切り替えられる。
【００３４】
そして、切替手段３１によって、冷媒が室内熱交換器６に流通するように回路切替部１２が切り替えられる（ステップＳＴ６）。その後、回転数変更手段３２によって、送風機１０の回転数が暖房運転における回転数、例えば設定風量に変更される（ステップＳＴ７）。そして、開度調整手段３３によって、膨張部７の開度が暖房運転における開度、即ち通常開度に調整される（ステップＳＴ８）。そして、ステップＳＴ１に戻り、上記制御が繰り返される。
【００３５】
図４は、本発明の実施の形態１に係る空気調和装置１の動作を示すフローチャートである。次に、デフロスト運転における空気調和装置１の動作について説明する。図４に示すように、制御部２０が霜取り信号を受信すると、デフロスト運転が開始される。先ず、回転数変更手段３２によって、送風機１０の回転数が低減されて微風とされるか又は送風機１０が停止される（ステップＳＴ１１）。そして、開度調整手段３３によって、膨張部７の開度が全開される（ステップＳＴ１２）。
【００３６】
その後、温度検出部１３によって検出された蓄熱容器１１の温度が閾値温度よりも高いか否かが判断される（ステップＳＴ１３）。蓄熱容器１１の温度が閾値温度よりも高い場合（ステップＳＴ１３のＹｅｓ）、切替手段３１によって、冷媒がバイパス回路３に流通するように回路切替部１２が切り替えられる（ステップＳＴ１４）。その後、所定時間毎にステップＳＴ１３に戻り、制御部２０が霜取り完了信号を受信した段階で、デフロスト運転が終了する。一方、蓄熱容器１１の温度が閾値温度以下の場合（ステップＳＴ１３のＮｏ）、切替手段３１によって、冷媒が室内熱交換器６に流通するように回路切替部１２が切り替えられる（ステップＳＴ１５）。その後、制御部２０が霜取り完了信号を受信した段階で、デフロスト運転が終了する。
【００３７】
次に、本実施の形態１に係る空気調和装置１の作用について説明する。空気調和装置１には、少なくとも一つの室内熱交換器６をバイパスするバイパス回路３に蓄熱容器１１が設けられている。このため、非暖房運転時において、高温高圧の冷媒を蓄熱容器１１に流通させることができる。従って、蓄熱容器１１に熱を蓄えることができる。これにより、空気調和装置１において、余剰な暖房がなされることを抑制することができる。また、蓄熱容器１１に蓄えられた熱を別の用途に利用することができる。また、非暖房運転時において、室内熱交換器６に冷媒が流通しないようにすることができるため、室内熱交換器６に冷媒が滞留することを抑制することもできる。
【００３８】
また、冷媒がバイパス回路３に流通するように回路切替部１２を切り替える切替手段３１を有する制御部２０を備え、切替手段３１によって冷媒がバイパス回路３に流通するように回路切替部１２が切り替えられた場合、蓄熱容器１１に熱が蓄えられる蓄熱運転が行われるものである。このため、蓄熱運転において、高温高圧の冷媒を蓄熱容器１１に流通させることができる。従って、蓄熱容器１１に熱を蓄えることができる。これにより、空気調和装置１において、余剰な暖房がなされることを抑制することができる。
【００３９】
更に、圧縮機４から吐出された冷媒が室内熱交換器６に流通するか室外熱交換器８に流通するかを切り替える流路切替部５と、蓄熱容器１１の温度を検出する温度検出部１３と、を備え、切替手段３１は、温度検出部１３によって検出された蓄熱容器１１の温度が閾値温度よりも高い場合、冷媒がバイパス回路３に流通するように回路切替部１２を切り替えるものであり、冷媒が室外熱交換器８に流通するように流路切替部５が切り替えられ、切替手段３１によって冷媒がバイパス回路３に流通するように回路切替部１２が切り替えられた場合、室外熱交換器８に付着した霜を除去するデフロスト運転が行われるものである。従って、デフロスト運転において、蓄熱容器１１に蓄えられた熱によって、室外熱交換器８に付着した霜を除去することができる。これにより、デフロスト運転の時間を短縮することができる。
【００４０】
更にまた、蓄熱容器１１は、潜熱型蓄熱材が使用される場合があり、閾値温度として、潜熱型蓄熱材の融点以上の温度が使用される。例えば、閾値温度＝潜熱型蓄熱材の融点＋αである。潜熱型蓄熱材は、温度変化を伴うことなく、熱量が変化する。このため、閾値温度は、潜熱型蓄熱材固有の融点以上の温度とされている。
【００４１】
そして、室内熱交換器６で冷媒と熱交換される熱媒体の温度を検出する熱媒体温検出部１４を更に備え、蓄熱容器１１は、顕熱型蓄熱材が使用される場合もあり、閾値温度として、熱媒体温検出部１４によって検出された熱媒体の温度以上の温度が使用される。例えば、閾値温度＝熱媒体の温度＋βである。蓄熱容器１１の温度が熱媒体の温度よりも低ければ、デフロスト運転の際に、蓄熱容器１１に蓄えられた熱を使用するよりも、室内熱交換器６で熱媒体から得られる熱を使用した方がよい。このため、閾値温度は、熱媒体の温度以上の温度とされている。
【００４２】
また、膨張部７は、開度が調整されるものであり、制御部２０は、蓄熱運転において、蓄熱運転における膨張部７の開度を、暖房運転における膨張部７の最小開度よりも小さい閾値開度以下に調整する開度調整手段３３を有する。そして、例えば、閾値開度は、冷媒の流動音が発生しない最小の開度に設定される。これにより、冷媒の流動音の発生を抑制することができる。
【００４３】
従来、冷媒の流動音を抑制するために、圧縮機４から吐出された冷媒を、バイパス回路３を介してアキュムレータ９に流通させる技術が開示されている。しかし、従来技術は、圧縮機４で得られた熱の一部を空調動作に利用することができない。これに対し、本実施の形態１は、室内熱交換器６をバイパスするバイパス回路３に蓄熱容器１１が設けられているため、圧縮機４で得られた熱は、室内熱交換器６又は蓄熱容器１１のいずれかに流通する。このため、圧縮機４で得られた熱の全てを空調動作に利用することができる。
【００４４】
室内熱交換器６で冷媒と熱交換される熱媒体を、室内熱交換器６に送る送風機１０を更に備え、制御部２０は、蓄熱運転において、蓄熱運転における送風機１０の回転数を、暖房運転における送風機１０の最小回転数よりも小さい閾値回転数以下に変更する回転数変更手段３２を有する。このため、蓄熱運転において、室内熱交換器６における熱媒体と冷媒との熱交換を抑制することができる。
【００４５】
更に、蓄熱容器１１は、各室内機１ｂ毎に設けられているため、１個の蓄熱容器１１で全ての室内機１ｂを賄う場合よりも、蓄熱容器１１のサイズを小型化することができる。また、本実施の形態１では、蓄熱容器１１に蓄えられた熱をデフロスト運転に利用する例を示したが、これに限定されない。例えば、蓄熱容器１１に蓄えられた熱を室内に放出して暖房に利用してもよい。
【００４６】
実施の形態２．
次に、本発明の実施の形態２に係る空気調和装置１について説明する。本実施の形態２では、図３のステップＳＴ１において、サーモオフする温度条件を実施の形態１よりも高くする。例えば、入力部１５による室内設定温度をサーモオフする温度条件としている場合、温度条件を、設定温度＋２℃とする。これにより、室温が低下して、サーモオンするまでの時間を長くすることができる。従って、蓄熱運転の時間を長くして、蓄熱容器１１に熱を蓄える時間を充分に確保することができる。なお、それ以外の構成については、実施の形態１と共通する。
【００４７】
実施の形態３．
次に、本発明の実施の形態３に係る空気調和装置１について説明する。本実施の形態３では、図３のステップＳＴ４の行程を省略する。即ち、開度調整手段３３による膨張部７の開度の調整が行われずに、暖房運転における膨張部７の開度が維持される。そして、蓄熱容器１１の温度が閾値温度を超えた場合、図３のステップＳＴ４の行程が行われる。これにより、蓄熱運転において、蓄熱容器１１への蓄熱を積極的に行うことができる。なお、それ以外の構成については、実施の形態１，２と共通する。また、本実施の形態３と実施の形態２とを組み合わせることもできる。
【符号の説明】
【００４８】
１  空気調和装置、１ａ  室外機、１ｂ  室内機、２  冷媒回路、３  バイパス回路、４  圧縮機、５  流路切替部、６  室内熱交換器、７  膨張部、８  室外熱交換器、９  アキュムレータ、１０  送風機、１１  蓄熱容器、１２  回路切替部、１３  温度検出部、１４  熱媒体温検出部、１５  入力部、１６  出力部、２０  制御部、２１  測定手段、２２  演算手段、２３  記憶手段、３１  切替手段、３２  回転数変更手段、３３  開度調整手段。
【図１】
2016189626.tif 000003
【図２】
2016189626.tif 000004
【図３】
2016189626.tif 000005
【図４】
2016189626.tif 000006
【手続補正書】
【提出日】平成29年9月7日(2017.9.7)
【手続補正２】
【補正対象書類名】明細書
【補正対象項目名】０００１
【補正方法】変更
【補正の内容】
【０００１】
本発明は、冷媒が流通する冷媒回路を備える空気調和装置及び室内機に関する。
【手続補正３】
【補正対象書類名】明細書
【補正対象項目名】０００６
【補正方法】変更
【補正の内容】
【０００６】
本発明は、上記のような課題を背景としてなされたもので、余剰な暖房がなされることを抑制する空気調和装置及び室内機を提供するものである。
【手続補正４】
【補正対象書類名】明細書
【補正対象項目名】０００７
【補正方法】変更
【補正の内容】
【０００７】
本発明に係る空気調和装置は、圧縮機、複数の室内熱交換器、複数の膨張部及び室外熱交換器が配管により接続され、冷媒が流通する冷媒回路と、少なくとも一つの室内熱交換器と、少なくとも一つの膨張部との間に接続され、室内熱交換器をバイパスするバイパス回路と、バイパス回路に設けられ、熱を蓄える蓄熱容器と、室内熱交換器と膨張部との間の接続部に設けられ、冷媒が室内熱交換器に流れるか蓄熱容器に流れるかを切り替える回路切替部と、を備える。
【手続補正５】
【補正対象書類名】特許請求の範囲
【補正対象項目名】全文
【補正方法】変更
【補正の内容】
【特許請求の範囲】
【請求項１】
圧縮機、複数の室内熱交換器、複数の膨張部及び室外熱交換器が配管により接続され、冷媒が流通する冷媒回路と、
少なくとも一つの前記室内熱交換器と、少なくとも一つの前記膨張部との間に接続され、前記室内熱交換器をバイパスするバイパス回路と、
前記バイパス回路に設けられ、熱を蓄える蓄熱容器と、
前記室内熱交換器と前記膨張部との間の接続部に設けられ、前記冷媒が前記室内熱交換器に流れるか前記蓄熱容器に流れるかを切り替える回路切替部と、
を備える空気調和装置。
【請求項２】
前記回路切替部は、
前記室内熱交換器の一端側と前記膨張部との間に設けられた三方弁と、
前記室内熱交換器の他端側と前記圧縮機との間に設けられた三方弁と、を有する
請求項１記載の空気調和装置。
【請求項３】
前記冷媒が前記バイパス回路に流通するように前記回路切替部を切り替える切替手段を有する制御部を備え、
前記切替手段によって前記冷媒が前記バイパス回路に流通するように前記回路切替部が切り替えられた場合、前記蓄熱容器に熱が蓄えられる蓄熱運転が行われるものである
請求項１又は２記載の空気調和装置。
【請求項４】
前記圧縮機から吐出された前記冷媒が前記室内熱交換器に流通するか前記室外熱交換器に流通するかを切り替える流路切替部と、
前記蓄熱容器の温度を検出する温度検出部と、を備え、
前記切替手段は、
前記温度検出部によって検出された前記蓄熱容器の温度が閾値温度よりも高い場合、前記冷媒が前記バイパス回路に流通するように前記回路切替部を切り替えるものであり、
前記冷媒が前記室外熱交換器に流通するように前記流路切替部が切り替えられ、前記切替手段によって前記冷媒が前記バイパス回路に流通するように前記回路切替部が切り替えられた場合、前記室外熱交換器に付着した霜を除去するデフロスト運転が行われるものである
請求項３記載の空気調和装置。
【請求項５】
前記蓄熱容器は、潜熱型蓄熱材が使用されるものであり、
前記閾値温度として、前記潜熱型蓄熱材の融点以上の温度が使用される
請求項４記載の空気調和装置。
【請求項６】
前記室内熱交換器で前記冷媒と熱交換される熱媒体の温度を検出する熱媒体温検出部を更に備え、
前記蓄熱容器は、顕熱型蓄熱材が使用されるものであり、
前記閾値温度として、前記熱媒体温検出部によって検出された前記熱媒体の温度以上の温度が使用される
請求項４記載の空気調和装置。
【請求項７】
前記膨張部は、開度が調整されるものであり、
前記制御部は、
前記蓄熱運転において、前記蓄熱運転における前記膨張部の開度を、暖房運転における前記膨張部の最小開度よりも小さい閾値開度以下に調整する開度調整手段
を有する請求項３〜６のいずれか１項に記載の空気調和装置。
【請求項８】
前記室内熱交換器で前記冷媒と熱交換される熱媒体を、前記室内熱交換器に送る送風機を更に備え、
前記制御部は、
前記蓄熱運転において、前記蓄熱運転における前記送風機の回転数を、暖房運転における前記送風機の最小回転数よりも小さい閾値回転数以下に変更する回転数変更手段
を有する請求項３〜７のいずれか１項に記載の空気調和装置。
【請求項９】
冷媒を膨張する膨張部と、
前記膨張部に接続され、冷媒と室内空気とを熱交換する室内熱交換器と、
前記室内熱交換器と前記膨張部との間に接続され、前記室内熱交換器をバイパスするバイパス回路と、
前記バイパス回路に設けられ、熱を蓄える蓄熱容器と、
前記室内熱交換器と前記膨張部との間の接続部に設けられ、冷媒が前記室内熱交換器に流れるか前記蓄熱容器に流れるかを切り替える回路切替部と、
を備える室内機。
【請求項１０】
前記回路切替部は、
前記室内熱交換器の一端側と前記膨張部との間に設けられた三方弁と、
前記室内熱交換器の他端側と室外機との間に設けられた三方弁と、を有する
請求項９記載の室内機。
【国際調査報告】
2016189626.tif 000007
2016189626.tif 000008
2016189626.tif 000009
2016189626.tif 000010